(57)【要約】【課題】  左右方向又は前後方向における角度調節作業を容易かつ迅速に行える映像表示装置の天吊り装置を提供する点にある。【解決手段】  映像表示装置を天井に前後角度調節自在に取り付ける取付金具が、天井側に固定される天井側部材２２と、映像表示装置に固定され、天井側部材２２から突出させた軸Ｐに対して係止して仮止め可能とするための係止溝２５が形成された左右一対の壁部２６Ａ，２６Ａを備えた取付側部材２７からなり、係止溝２５を、軸Ｐに対して下方から挿入可能な上下溝部２５Ａと、上下溝部２５の下端から前方側又は後方側へ移動可能な前後溝部２５Ｂと、前後溝部２５Ｂの移動方向終端から上方へ設定距離移動させる上下溝部２５Ａよりも短い補助用上下溝部２５Ｃと、補助用上下溝部２５Ｃの上端から前方側又は後方側へ移動させて係止させるための係止用前後溝部２５Ｄとから構成した。【選択図】    図７
2005173018.tif 000002
【特許請求の範囲】
【請求項１】
映像表示装置を天井に前後角度調節自在に取付金具を介して取り付けてなる映像表示装置の天吊り装置において、前記取付金具が、天井側又は天井に対して昇降可能に構成された可動側に固定される天井側部材と、前記映像表示装置に固定され、該天井側部材から左右方向両側にそれぞれ突出させた軸に対して係止して仮止め可能とするための係止溝がそれぞれ形成された左右一対の壁部を備えた取付側部材とからなり、前記係止溝を、前記軸に対して下方から挿入可能な上下溝部と、この上下溝部の下端から前方側又は後方側へ移動可能な前後溝部と、この前後溝部の移動方向終端から上方へ設定距離移動させる前記上下溝部よりも短い補助用上下溝部と、この補助用上下溝部の上端から前方側又は後方側へ移動させて係止させるための係止用前後溝部とから構成したことを特徴とする映像表示装置の天吊り装置。
【請求項２】
前記天井側部材の左右の壁部のそれぞれに螺子孔を形成し、前記仮止め用前後溝部に軸が位置した状態で、前記案内溝に対して前方側又は後方側に位置する箇所に形成された上下方向に長い長孔を通して前記螺子孔に螺合可能な締結螺子を設けてなる請求項１記載の映像表示装置の天吊り装置。
【請求項３】
前記取付側部材を、前記映像表示装置を固定するための固定板と、この固定板に固定される底板部を備えると共に該底板部の左右２箇所から上方に立ち上げられた前記左右一対の壁部とからなるほぼＵの字状の吊下げ板とから構成してなる請求項１又は２記載の映像表示装置の天吊り装置。
【請求項４】
映像表示装置を天井に左右角度調節自在に取付金具を介して取り付けてなる映像表示装置の天吊り装置において、前記取付金具が、天井側又は天井に対して昇降可能に構成された可動側に固定される天井側部材と、前記映像表示装置に固定され、該天井側部材から左右方向両側にそれぞれ突出させた軸に対して係止して仮止め可能とするための係止溝がそれぞれ形成された左右一対の壁部を備えた取付側部材とからなり、前記前後一対の壁部それぞれに、前記軸に対して下方から挿入可能な上下溝部と、この上下溝部の下端から左側又は右側へ移動可能な左右溝部と、この左右溝部の移動方向終端から上方へ設定距離移動させる前記上下溝部よりも短い補助用上下溝部と、この補助用上下溝部の上端から左側又は右側へ移動させて係止させるための係止用左右溝部とからなる案内溝を形成したことを特徴とする映像表示装置の天吊り装置。
【請求項５】
前記天井側部材の前後の壁部のそれぞれに螺子孔を形成し、前記仮止め用左右溝部に軸が位置した状態で、前記案内溝に対して左側又は右側に位置する箇所に形成された上下方向に長い長孔を通して前記螺子孔に螺合可能な締結螺子を設けてなる請求項４記載の映像表示装置の天吊り装置。
【請求項６】
前記取付側部材を、前記映像表示装置を固定するための固定板と、この固定板に固定される底板部を備えると共に該底板部の前後２箇所から上方に立ち上げられた前記前後一対の壁部とからなるほぼＵの字状の吊下げ板とから構成してなる請求項４又は５記載の映像表示装置の天吊り装置。
【発明の詳細な説明】
【技術分野】
【０００１】
本発明は、プロジェクター、ＣＲＴ、液晶モニターなどの映像表示装置を天井に対して左右角度調節自在又は前後角度調節自在に取り付けるための映像表示装置の天吊り装置に関するものである。
【背景技術】
【０００２】
上記映像表示装置の天吊り装置においては、例えば天井側に固定される天井側部材に、重量のある映像表示装置の一例であるプロジェクターをプロジェクター側に固定される左右一対の縦壁部を備えた取付部材を介して吊り下げ支持させることによりプロジェクターを仮止め状態としてから、ビスを用いてプロジェクターを完全に固定する構成とすることによって、プロジェクターの全重量を手で支えながら取り付ける場合に比べて作業を容易かつ迅速に行えるようにしている。そして、前記取付部材を天井側部材の左右の壁からそれぞれ両側へ突出する軸に下方から挿入（係止）することができる上下方向の上下溝部と、この上下溝部の下端に位置させた軸を後方側へ移動させるための前後溝部と、この前後溝部の後端に位置させた軸を上方へ少し移動させて吊り下げ係止状態となると同時に前後方向の移動を規制するための吊り下げ用上下溝部とからなる係止溝を取付部材の一対の縦壁部のそれぞれに形成している（例えば、特許文献１参照）。
【特許文献１】特開２０００−１２２１８０号公報（図７、図９）
【発明の開示】
【発明が解決しようとする課題】
【０００３】
上記特許文献１の構成によれば、吊り下げ用上下溝部が、天井側部材の左右の壁からそれぞれ両側へ突出する軸に対して上下方向に移動自在な溝部であるため、軸を中心にして取付部材を前後方向へ揺動させてプロジェクターの前後角度を調節する場合に、取付部材の軸側が軸に対して吊り下げ用上下溝内で上下に不測に移動してしまい、角度調節を安定良く行うことができず、慎重かつゆっくりとプロジェクターの角度調節を行わなければならない結果、角度調節作業に多くの時間を要するものになっていた。
【０００４】
本発明が前述の状況に鑑み、解決しようとするところは、左右方向又は前後方向における角度調節作業を容易かつ迅速に行える映像表示装置の天吊り装置を提供する点にある。
【課題を解決するための手段】
【０００５】
本発明は、前述の課題解決のために、映像表示装置を天井に前後角度調節自在に取付金具を介して取り付けてなる映像表示装置の天吊り装置において、前記取付金具が、天井側又は天井に対して昇降可能に構成された可動側に固定される天井側部材と、前記映像表示装置に固定され、該天井側部材から左右方向両側にそれぞれ突出させた軸に対して係止して仮止め可能とするための係止溝がそれぞれ形成された左右一対の壁部を備えた取付側部材とからなり、前記係止溝を、前記軸に対して下方から挿入可能な上下溝部と、この上下溝部の下端から前方側又は後方側へ移動可能な前後溝部と、この前後溝部の移動方向終端から上方へ設定距離移動させる前記上下溝部よりも短い補助用上下溝部と、この補助用上下溝部の上端から前方側又は後方側へ移動させて係止させるための係止用前後溝部とから構成したことを特徴としている。又、映像表示装置を天井に左右角度調節自在に取付金具を介して取り付けてなる映像表示装置の天吊り装置において、前記取付金具が、天井側又は天井に対して昇降可能に構成された可動側に固定される天井側部材と、前記映像表示装置に固定され、該天井側部材から左右方向両側にそれぞれ突出させた軸に対して係止して仮止め可能とするための係止溝がそれぞれ形成された左右一対の壁部を備えた取付側部材とからなり、前記前後一対の壁部それぞれに、前記軸に対して下方から挿入可能な上下溝部と、この上下溝部の下端から左側又は右側へ移動可能な左右溝部と、この左右溝部の移動方向終端から上方へ設定距離移動させる前記上下溝部よりも短い補助用上下溝部と、この補助用上下溝部の上端から左側又は右側へ移動させて係止させるための係止用左右溝部とからなる案内溝を形成した場合でもよい。
上記のように案内溝に係止用前後溝部を設けることによって、軸が係止用前後溝部に係止している状態で取付側部材を軸を中心として揺動させて映像表示装置の角度調節（前後角度調節又は左右角度調節）を行う場合に、取付側部材が軸を中心として上下方向への移動が係止用前後溝部にて規制させているため、取付側部材が軸を中心として上下方向に不測に移動することがなく、所望通りの角度調節を容易かつ迅速に行うことができる。また、前記係止用前後溝部の終端に係止している軸が該溝部の挿入（移動）方向始端部側へ不測に位置してしまうことを補助用上下溝部との接当により阻止されることになる。
映像表示装置を天井に前後角度調節自在に取付金具を介して取り付けている場合には、前記天井側部材の左右の壁部のそれぞれに螺子孔を形成し、前記係止用前後溝部に軸が位置した状態で、前記案内溝に対して前方側又は後方側に位置する箇所に形成された上下方向に長い長孔を通して前記螺子孔に螺合可能な締結螺子を設けてもよい。
映像表示装置を天井に前後角度調節自在に取付金具を介して取り付けている場合には、前記取付側部材を、前記映像表示装置を固定するための固定板と、この固定板に固定される底板部を備えると共に該底板部の左右２箇所から上方に立ち上げられた前記左右一対の壁部とからなるほぼＵの字状の吊下げ板とから構成してもよい。
映像表示装置を天井に左右角度調節自在に取付金具を介して取り付けている場合には、前記天井側部材の前後の壁部のそれぞれに螺子孔を形成し、前記係止用左右溝部に軸が位置した状態で、前記案内溝に対して左側又は右側に位置する箇所に形成された上下方向に長い長孔を通して前記螺子孔に螺合可能な締結螺子を設けてもよい。
映像表示装置を天井に左右角度調節自在に取付金具を介して取り付けている場合には、前記取付側部材を、前記映像表示装置を固定するための固定板と、この固定板に固定される底板部を備えると共に該底板部の前後２箇所から上方に立ち上げられた前記前後一対の壁部とからなるほぼＵの字状の吊下げ板とから構成してもよい。
【発明の効果】
【０００６】
取付側部材に備えさせる一対の壁部に形成される係止溝に軸に対して取付側部材が上下方向へ不測に移動してしまうことを阻止することができる係止用前後溝部を設けることによって、軸を中心として映像表示装置の前後又は左右の角度調節を行う場合に、映像表示装置が上下方向に不測に移動することを確実に阻止することができ、左右方向又は前後方向における角度調節作業を容易かつ迅速に行える映像表示装置の天吊り装置を提供することができる。
【０００７】
軸を中心として映像表示装置の前後（又は左右）の角度調節を行う場合に、係止溝に対して前方側又は後方側に位置する箇所（左右の角度調節の場合には、左側又は右側に位置する箇所）に形成された上下方向に長い長孔をガイド溝として利用することによって、取付側部材が水平方向に不測に移動することを確実に阻止することができ、プロジェクターの左右方向又は前後方向における角度調節作業をより一層容易かつ迅速に行える。
【０００８】
取付側部材を、前記映像表示装置を固定するための固定板と、この固定板に固定される底板部を備えると共に該底板部から上方に立ち上げられた壁部とからなるほぼＵの字状の吊下げ板とから構成することによって、固定板を映像表示装置の大きさや機種に応じて形状変更するだけで他種類の映像表示装置を取り付けることができ、吊下げ板の共通化による部品点数の削減化を図ることができる。しかも、底板部を固定板に重ね合わせた状態で一体化することによって、その部分での強度を飛躍的に向上させることができ、耐久性において優れた映像表示装置の天吊り装置にすることができる。
【発明を実施するための最良の形態】
【０００９】
図１〜図３に、映像表示装置の一例であるプロジェクター１を昇降させるためのプロジェクター用昇降装置（以下、昇降装置と言う）が示されている。この昇降装置は、天井内の上部に固定される固定側支持体２と、この固定側支持体２に対して昇降自在に取り付けられ、かつ、前記プロジェクター１を取り付け支持するための可動側支持体３と、この可動側支持体３を昇降操作するために該可動側支持体３と前記固定側支持体２とに渡って配設された電動スクリーン４とを主要構成部材としている。図１及び図２に示す５は、天井である。前記プロジェクター１に代えて、プラズマディスプレイや液晶ディスプレイあるいはＣＲＴディスプレイなどの重量のある映像表示装置を昇降させるように構成してもよい。
【００１０】
前記固定側支持体２は、図３、図５及び図６に示すように、前後端がそれぞれ９０度外方側に折り曲げられて平面視ほぼコの字状に形成された左右一対の左右フレーム６，６と、これら左右フレーム６，６の前端同士又は後端同士を左右方向でボルト（溶接でもよい）Ｂ１等により連結固定される側面視においてほぼ逆Ｌ字状の前後一対の前後フレーム７，７とからなっている。前記各左右フレーム６の前後方向ほぼ中央箇所から下方に延びる所定幅を有する縦板部８を備えており、この縦板部８の内面に該縦板部８から左右フレーム６に渡る上下長さを有する後述のガイドレール１８を固定している。尚、前記前後一対の前後フレーム７，７の上端に位置する水平板部７Ａ，７Ａが天井内の上部に図示していないボルト及びナットを介して固定されることになる。
【００１１】
前記可動側支持体３は、図３〜図６に示すように、下面側に前記プロジェクター１が取り付けられるプレート板９と、このプレート板９の左右端のそれぞれにボルト止めされた補強板１０とからなっている。前記各補強板１０の前後端それぞれに、昇降可能な天井パネル１１（図１〜図３参照）を吊り下げ支持するための吊りボルト１２を貫通するための左右方向に長い長孔１０Ａを形成し、天井パネル１１の上端のうちの角部４箇所それぞれに下端が連結された４本の吊りボルト１２の上端を、左右一対の補強板１０，１０の長孔１０Ａ，１０Ａ、１０Ａ，１０Ａにそれぞれ貫通した後、吊りボルト１２の上方からナット１３を螺合することにより補強板１０と吊りボルト１２とを連結している。
【００１２】
前記電動スクリーン４は、図５及び図６に示すように、前記左右フレーム６，６間に駆動回転可能に架設された円筒状の駆動回転体１４と、この駆動回転体１４に巻き取り自在に一端が連結されると共に他端がプロジェクター１側に連結された可撓性部材としての合成樹脂製のスクリーン（暗幕とも言う）１５と、前記駆動回転体１４の内部に備えさせた電動モータ１６とからなり、前記電動モータ１６の駆動軸１６Ａの先端に一体回転状態に取り付けられた円盤体１７に形成の凹部１７Ａに前記駆動回転体１４の内面に内面側に突出形成された凸部１４Ａが係止していることから、電動モータ１６を駆動することによって、駆動回転体１４を一方向に回転させることで、スクリーン１５を繰り出してプロジェクター１を天井内から下方の所定位置まで下降させて天井面よりも下方に位置させた使用姿勢にすることができ、これとは反対の他方向に駆動回転体１４を回転させることでスクリーン１５を巻き取ってプロジェクター１を上昇させて天井内に収納した収納姿勢にすることができるようにしている。前記スクリーン１５のプロジェクター１側端部は、円筒状の棒状体（パイプ）２８に接着剤などにより固定され、その棒状体２８の左右両端のそれぞれが前記プレート板９を貫通するボルトＢ２に貫通され、ボルトＢ２の先端にナットＮ１を螺合させて固定されている。尚、図５に示すＮ２は、プレート板９と棒状体２８との間に所定の間隔を保持するためのナットである。又、図５に示す２９は、後述のスライダー（図示せず）に一体化された板部材であり、後述のガイドレール１８に対して上下動自在に構成され、それら板部材２９，２９を前記縦板部１０Ｈ，１０Ｈの内面にビス止めされている。又、前記スクリーン１５は、合成樹脂で構成する他、ガラス繊維を編み込んだものや布あるいは紙等、駆動回転体１４にて巻き取ることができる可撓性を有すると共にプロジェクター１の昇降時に伸びがない（又は一次的に少し伸びてプロジェクター１の上昇位置及び下降位置では元に戻るものでもよい）、しかも容易にちぎれない材質の（耐久性のある）ものであれば、どのような材料で構成してもよい。また、ここでは、天井の内部にプロジェクター１を完全に収納することによって、邪魔にならない最適な状態を示しているが、天井の内部にプロジェクター１の一部が入り込んだ状態や天井の内部に全く入り込まない状態、つまり天井面側にプロジェクター１の上端が近接する位置に位置させた状態を収納姿勢としてもよい。前記のように天井の内部にプロジェクター１の一部が入り込んだ状態やプロジェクター１が天井の内部に全く入り込まない状態で実施する場合には、天井パネル１１やこの天井パネル１１を吊り下げる４本の吊りボルト１２を省略して実施することもできる。
【００１３】
図５及び図６に示すように、前記プロジェクター１の昇降時において該プロジェクター１を移動案内するための案内手段を設けている。この案内手段は、可動側支持体３を構成する前記補強板１０，１０の前後方向ほぼ中央で、かつ、左右方向内側箇所に折り曲げによって上下方向に立設された縦板部１０Ｈ，１０Ｈの外面側にビスにより固定された前記板部材２９に一体化されているスライダー（図示せず）と、これらスライダーに係合してスライダーと共にプロジェクター１を上下方向にスムーズに移動案内させるためのガイドレール１８，１８とから構成されている。従って、可動側支持体３の昇降時や空調機の風により可動側支持体３に支持されるプロジェクター１が前後方向及び左右方向に振れる（揺れる）ことがないようにしている。前記左右一対のガイドレール１８，１８のうちの一方のガイドレール１８を省略する、又は場合によってはそれらガイドレール１８，１８が全くない状態で実施してもよい。尚、前記ガイドレール１８，１８は、前記左右フレーム６，６の前後方向ほぼ中央箇所でかつ外面側に上下（縦）方向に沿って固定された縦フレーム１９に形成されたねじ孔１９Ａを利用してねじ止めされている。又、前記各補強板１０には、前記縦板部８及び縦フレーム１９を逃がすための貫通孔１０Ｋが形成されている。又、図５に示すように、前記ガイドレール１８，１８の下端のそれぞれに、前記補強板１０を受け止めて該補強板１０の下降位置を規制するための板状の落下防止金具３０をビスＢ３にて取り付けている。
【００１４】
前記可動側支持体３を構成するプレート板９の下端に前記プロジェクター１の上端が、角度調節自在な角度調節機構（左右方向及び前後方向並びに水平方向の３方向にプロジェクター１の角度を調節することができるように構成しているが、左右方向及び前後方向の少なくとも一方向に角度調節自在に構成して実施してもよい）２０を介して連結されており、この角度調節機構２０について説明すれば、図４及び図７に示すように、前記プレート板９の長手方向ほぼ中央に左右幅方向に長い前後一対の角孔９Ａ，９Ａ及びこれら角孔９Ａ，９Ａの左右端部間に位置する前後方向に沿う円弧状の左右一対の長孔９Ｂ，９Ｂ並びに角孔９Ａ，９Ａの左右中央部間に位置する円形の中心孔９Ｃを形成し、前記プレート板９の角孔９Ａ，９Ａに側面視ほぼ門型形状の第１ブラケット２１の前後一対の縦板部２１Ａ，２１Ａを挿入すると同時に該プレート板９の中心孔９Ｃに該ブラケット２１の上板部２１Ｂの下面のほぼ中心部に下方に突出するように備えさせたピン体２１Ｐを挿入し、前記ブラケット２１の上板部２１Ｂの左右端の前後方向ほぼ中央から延出された延出板部２１Ｃ，２１Ｃに形成の螺子部にプレート板９の長孔９Ｂ，９Ｂを通して挿入されるビスＢ４，Ｂ４を螺合することにより、第１ブラケット２１をプレート板９に固定することができるようになっている。そして、前記ビスＢ４，Ｂ４を緩めることにより、第１ブラケット２１をピン体２１Ｐの縦軸芯周りで長孔９Ａ，９Ａの範囲で回動させることができ、プロジェクター１を水平方向で角度調節ができるようにしているが、水平方向での角度調節が行えない構成であってもよい。
【００１５】
前記のように角孔９Ａ，９Ａから下方に突出した状態で固定された第１ブラケット２１に、四角形の底板部２２Ｅとこの底板部２２Ｅの４辺から上方に立ち上げられた４枚の縦板部２２Ａ，２２Ｂ，２２Ｃ，２２Ｄとからなる上方が開放された箱型形状の第２ブラケット２２を下方から挿入し、第１ブラケット２１の縦板部２１Ａ，２１Ａの左右方向ほぼ中央に形成された貫通孔２１Ｋ，２１Ｋと第２ブラケット２２の前後の縦板部２２Ａ，２２Ｂの左右方向ほぼ中央に形成された貫通孔２２Ｋ，２２Ｋとに渡って一本のピン２３（２本の短いピンで構成してもよい）を挿通し、前側の縦板部２１Ａに形成の円弧状の縦長孔２１Ｓを通して挿入されるビスＢ５を前側の縦板部２２Ａに形成の螺子孔２２Ｎに螺合することにより、第２ブラケット２２を第１ブラケット２１に固定させることができ、又、ビスＢ５を緩めることにより、第２ブラケット２２をピン２３軸芯周りで左右方向に縦長孔２１Ｓの範囲内で揺動させることで、プロジェクター１の左右方向の角度を調節することができるようにしている。尚、前記第２ブラケット２２を、天井に対して昇降可能に構成された可動側に固定される天井側部材と称する。
【００１６】
前記プロジェクター１を前記プレート板９に対して前後角度調節自在に取付金具２４を介して取り付けてあり、その取付金具２４は、前記のように固定された第２ブラケット（天井側部材）２２と、前記プロジェクター１に固定され、該第２ブラケット２２の左右の壁部２２Ｃ，２２Ｄの後側から左右方向両側にそれぞれ貫通突出させた軸である一本のピンＰ（２本の短いピンで構成してもよい）に対して係止して仮止め可能とするための係止溝２５がそれぞれ形成された左右一対の壁部２６Ａ，２６Ａを備えた取付側部材２７とからなり、前記係止溝２５を、前記ピンＰに対して下方から挿入（係止）可能な上下溝部２５Ａと、この上下溝部２５Ａの下端から前方側（後方側でもよい）へ移動可能な前後溝部２５Ｂと、この前後溝部２５Ｂの移動方向終端から上方へ設定距離移動させる前記上下溝部２５Ａよりも短い補助用上下溝部２５Ｃと、この補助用上下溝部２５Ｃの上端から前方側（後方側でもよい）へ移動させて係止させるための係止用前後溝部２５Ｄとから構成している。
【００１７】
前記取付側部材２７は、前記プロジェクター１の複数種類を複数のボルトＢ７により固定することができるように多数の貫通孔３１Ａが形成された平面視ほぼＴの字形状の固定板３１と、この固定板３１に４個のビスＢ６により固定される底板部２６Ｂを備えると共に該底板部２６Ｂの左右両端部から上方に立ち上げられた前記左右一対の壁部２６Ａ，２６ＡとからなるほぼＵの字状の吊下げ板２６とから構成することによって、前記固定板３１を他の構成の固定板に取り替えることで、部品点数を少なくしながらも、より多くの種類のプロジェクター１を取り付けることができる利点があるが、固定板３１と吊り下げ板２６とが１つの部材から構成することもできる。図７に示す３２は、プロジェクター１と前記固定板３１との間に隙間を開けるためのスペーサであるが、固定板３１の形状などによっては省略することができる。
又、前記第２ブラケット２２の左右の壁部２２Ｃ，２２Ｄのそれぞれに螺子孔２２Ｇを形成し、前記左右一対の壁部２６Ａ，２６Ａのうちの、前記係止用左右溝部２５ＤにピンＰが位置した状態で前記係止溝２５に対して前側に位置する箇所に上下方向に長い円弧状の長孔２５Ｎを通して前記螺子孔２２Ｇに螺合可能な締結螺子Ｂ８を設けて、締結螺子Ｂ８，Ｂ８を緩めることにより、吊り下げ板２６をピンＰ軸芯周りで円弧状の長孔２５Ｎの範囲内で揺動させて、プロジェクター１を前後方向で角度調節自在に構成している。ここでは、壁部２６Ａ，２６Ａがプロジェクター１の左右に位置するように吊り下げ板２６を配置することにより、プロジェクター１を前後方向で角度調節自在に構成した場合を示しているが、壁部２６Ａ，２６Ａがプロジェクター１の前後に位置するように吊り下げ板２６を配置することにより、プロジェクター１を左右方向で角度調節自在に構成してもよい。
従って、プロジェクター１を第２ブラケット２２に係止させて仮止めした状態で固定することについて説明すれば、まず固定板３１に下方から移動させてきた吊り下げ板２６の底板部２６Ｂの上面を接当させた状態にしてから、ビスＢ６により両者を固定して一体化して取付側部材２７を構成する。次に、取付側部材２７にプロジェクター１の上端をボルトＢ７により固定して一体化し、取付側部材２７の壁部２６Ａ，２６Ａの係止溝２５の上下溝部２５ＡにピンＰが係止するようにプロジェクター１を上方へ移動させる。次に、上下溝部２５Ａの下端にピンＰが位置すると、プロジェクター１を前側へ移動させることにより、前後溝部２５Ｂの後端（移動方向終端）にピンＰを位置させてから、プロジェクター１を下方へ少し下げることにより、前後溝部２５Ｂの上端にピンＰを位置させる。続いてプロジェクター１を前側へ移動させることによりピンＰを係止用前後溝部２５Ｄの後端（移動方向終端）に位置させて係止状態とすることで、プロジェクター１を吊り下げ板２６にてプロジェクター１を吊り下げ支持させることができ、この仮止め状態において２個のビスＢ８，Ｂ８を順次螺合させることにより吊り下げ板２６を第２ブラケット２２に固定して、プロジェクター１の取り付け作業を完了することができるようになっている。そして、前記２個のビスＢ８，Ｂ８を緩めることにより、前述のようにピンＰ軸芯周りで吊り下げ板２６を揺動させることによりプロジェクター１を前後方向において角度調節を行えるようになっている。そして、この角度調節時においてピンＰに対して吊り下げ板２６の上下方向の移動が係止用前後溝部２５Ｄにて規制されると同時に、ピンＰに対して吊り下げ板２６が前後方向へ移動することを円弧状の長孔２５Ｎにて規制されていることから、吊り下げ板２６を所望通りに角度調節することができるようになっている。
【００１８】
図１〜図７では、天井から昇降装置（天吊り装置）を介してプロジェクター１を吊り下げ支持したものを示したが、図８及び図９に示すように、天井パネル１１から垂下させた筒状の固定用の支軸３３に外嵌可能でかつボルトＢ９にて上下方向での任意の位置で固定可能な外筒体３４を設け、この外筒体３４の下端に前記角度調節機構２０を介してプロジェクター１を左右方向にＡ１，Ａ２の範囲で角度調節自在で、かつ、前後方向にＢ１，Ｂ２の範囲で角度調節自在に構成してもよい。つまり、前記第１ブラケット２１を前記外筒体３４の下端にボルト固定し、この第１ブラケット２１に対して第２ブラケット２２を固定してから、プロジェクター１が固定された吊り下げ板２６を係止させて仮止めした状態で取り付け作業を行えるようにしている。
【図面の簡単な説明】
【００１９】
【図１】プロジェクターを収納姿勢にした昇降装置の正面図である。
【図２】プロジェクターを使用姿勢にした昇降装置の正面図である。
【図３】プロジェクターを使用姿勢にした昇降装置の側面図である。
【図４】プロジェクターを角度調節するための角度調節機構を示す要部の縦断側面図である。
【図５】昇降装置の上部の構成を示す斜視図である。
【図６】昇降装置の上部の構成を示す分解斜視図である。
【図７】図４で示した角度調節機構の具体構成を示す分解斜視図である。
【図８】昇降装置を省略してプロジェクターを天井から吊り下げ支持した状態を示す正面図である。
【図９】図８で示したプロジェクターの側面図である。
【符号の説明】
【００２０】
１  プロジェクター
２  固定側支持体
３  可動側支持体
４  電動スクリーン
５  天井
６  左右フレーム
７  前後フレーム
７Ａ  水平板部
８  縦板部
９  プレート板
１０  補強板
１０Ｈ  縦板部
１０Ｋ  貫通孔
１０Ａ  長孔
１１  天井パネル
１２  ボルト
１３  ナット
１４Ａ  凸部
１４  駆動回転体
１５  スクリーン
１６  電動モータ
１６Ａ  駆動軸
１７  円盤体
１７Ａ  凹部
１８  ガイドレール
１９Ａ  孔
１９  縦フレーム
２０  角度調節機構
２１  第１ブラケット
２１Ａ〜２１Ｅ  板部
２１Ｐ  ピン体
２１Ｋ  貫通孔
２１Ｓ  縦長孔
２２  第２ブラケット（天井側部材）
２２Ｋ  貫通孔
２２Ｎ  螺子孔
２３  ピン
２４  取付金具
２５  係止溝
２６  吊り下げ板
２７  取付側部材
２８  棒状体
２９  板部材
３０  落下防止金具
３１  固定板
３２  スペース
３３  支軸
Ｂ２，Ｂ３，Ｂ７，Ｂ９  ボルト
Ｂ４，Ｂ５，Ｂ６，Ｂ８  ビス
Ｎ１  ナット
Ｐ  ピン（軸）
【図１】
2005173018.tif 000003
【図２】
2005173018.tif 000004
【図３】
2005173018.tif 000005
【図４】
2005173018.tif 000006
【図５】
2005173018.tif 000007
【図６】
2005173018.tif 000008
【図７】
2005173018.tif 000009
【図８】
2005173018.tif 000010
【図９】
2005173018.tif 000011